(57)【要約】【課題】  ユーザが指定した用紙と任意のテストチャートを用いたテスト印刷において行った調整項目の設定を記憶した後、別の機会に、同じ用紙、同じテストチャートおよび同じ設定の調整項目を用いて印刷を行う場合、または、同じ用紙、同じテストチャートおよび同じ設定の調整項目を読み出して、調整項目の設定を途中から行いたい場合に、調整項目の調整を行う手間を減らす。【解決手段】  印刷に用いられる用紙が収納された用紙収納部を備え、用紙に画像を印刷する印刷装置と通信可能であり、テストチャートの選択を受け付けるテストチャート受付手段と、調整項目の設定を受け付ける調整手段と、を有する印刷制御装置であって、用紙、受け付けたテストチャートおよび調整手段によって受け付けた設定を、関連付けて読み出すことが可能なテスト情報として記憶する記憶手段と、を有する。【選択図】  図１４
2018187872.tif 000002
【特許請求の範囲】
【請求項１】
印刷に用いられる用紙が収納された用紙収納部を備え、前記用紙収納部に収納された用紙を搬送し、用紙に画像を印刷する印刷装置と通信可能であり、
印刷物の仕上がりを確認するための印刷に用いる画像データであるテストチャートの選択を受け付けるテストチャート受付手段と、
印刷物の仕上がりを調整する調整項目の設定を受け付ける調整手段と、を有する印刷制御装置であって、
前記用紙、前記受け付けたテストチャートおよび前記調整手段によって受け付けた設定を、関連付けて読み出すことが可能なテスト情報として記憶する記憶手段と、
を有することを特徴とする印刷制御装置。
【請求項２】
前記テスト情報を基に、前記印刷物の仕上がりを確認するための印刷を行うことを前記印刷装置に指示する指示手段を有することを特徴とする請求項１に記載の印刷制御装置。
【請求項３】
前記指示手段が、前記テスト情報を基に、前記印刷物の仕上がりを確認するための印刷を行うことを前記印刷装置に指示することに従って、前記記憶手段が、前記テスト情報を記憶することを特徴とする請求項２に記載の印刷制御装置。
【請求項４】
前記記憶手段によって記憶された前記テスト情報を読み出す読出し手段をさらに有し、
前記指示手段は、前記読出し手段によって読み出された前記テスト情報に基づいて、前記印刷物の仕上がりを確認するための印刷を行うことを前記印刷装置に指示することを特徴とする請求項２または３に記載の印刷制御装置。
【請求項５】
前記記憶手段によって記憶された前記テスト情報を読み出す読出し手段をさらに有し、
前記記憶手段は、前記読出し手段によって読み出された前記テスト情報に含まれる前記受け付けた設定に対して、前記調整手段が調整を行った後の設定を記憶することを特徴とする請求項２または３に記載の印刷制御装置。
【請求項６】
前記指示手段が、前記調整を行った後の設定を基に、前記印刷物の仕上がりを確認するための印刷を行うことを前記印刷装置に指示することに従って、前記記憶手段が、前記受け付けた設定の調整を行った後の設定を記憶することを特徴とする請求項５に記載の印刷制御装置。
【請求項７】
前記テストチャート受付手段で選択可能なテストチャートとして、外部装置に保存された画像データを追加するテストチャート追加手段を有し、
前記テストチャート受付手段によって、前記テストチャート追加手段によって追加された画像データの選択を受け付けることを特徴とする請求項１乃至６のいずれか１項に記載の印刷制御装置。
【請求項８】
前記テストチャート受付手段によって、前記印刷装置にあらかじめ保存されたテストチャートの選択を受け付けることを特徴とする請求項１乃至６のいずれか１項に記載の印刷制御装置。
【請求項９】
前記テスト情報を前記印刷装置に送信する送信手段をさらに有し、
前記調整手段が、印刷物の仕上がりを調整する調整項目の設定を受け付けた後、印刷を行わずに受け付けた設定を保存することが選択されることに従って、前記送信手段が前記印刷装置に前記用紙と前記受け付けた設定を送信することを特徴とする請求項１乃至８のいずれか１項に記載の印刷制御装置。
【請求項１０】
前記テスト情報を前記印刷装置に送信する送信手段をさらに有し、
前記調整手段が、印刷物の仕上がりを調整する調整項目の設定を受け付けた後、前記印刷物の仕上がりを確認するための印刷を行うことに従って、前記送信手段が前記印刷装置に前記テスト情報を送信することを特徴とする請求項１乃至８のいずれか１項に記載の印刷制御装置。
【請求項１１】
前記印刷物の仕上がりを確認するための印刷を開始するためのボタンと、前記受け付けた設定と、前記受け付けたテストチャートと、を表示する表示手段をさらに有し、
前記表示手段は、複数の調整項目に対応して、前記印刷を開始するためのボタン、前記受け付けた設定、前記受け付けたテストチャートと、を１つの画面に表示することを特徴とする請求項１乃至１０のいずれか１項に記載の印刷制御装置。
【請求項１２】
印刷に用いられる用紙が収納された用紙収納部を備え、前記用紙収納部に収納された用紙を搬送し、用紙に画像を印刷する印刷装置と通信可能であり、
印刷物の仕上がりを確認するための印刷に用いる画像データであるテストチャートの選択を受け付けるテストチャート受付工程と、
印刷物の仕上がりを調整する調整項目の設定を受け付ける調整工程と、を有する印刷制御装置の制御方法であって、
前記用紙、前記受け付けたテストチャートおよび前記調整工程によって受け付けた設定を、関連付けて読み出すことが可能なテスト情報として記憶する記憶工程と、
を有することを特徴とする印刷制御装置の制御方法。
【請求項１３】
請求項１２に記載の制御方法を、コンピュータに実行させるためのプログラム。
【請求項１４】
請求項１３に記載のプログラムを格納したコンピュータで読み取り可能な記憶媒体。
【請求項１５】
印刷に用いられる用紙が収納された用紙収納部を備え、前記用紙収納部に収納された用紙を搬送し、用紙に画像を印刷する印刷装置と通信可能であり、
印刷物の仕上がりを確認するための印刷に用いる画像データであるテストチャートの選択を受け付けるテストチャート受付手段と、
印刷物の仕上がりを調整する調整項目の設定を受け付ける調整手段と、を有する画像形成システムであって、
前記用紙、前記受け付けたテストチャートおよび前記調整手段によって受け付けた設定を、関連付けて読み出すことが可能なテスト情報として記憶する記憶手段と、
前記テスト情報に基づいて、前記印刷物の仕上がりを確認するための印刷をする印刷手段と、
を有することを特徴とする画像形成システム。
【請求項１６】
印刷に用いられる用紙が収納された用紙収納部を備え、前記用紙収納部に収納された用紙を搬送し、用紙に画像を印刷する印刷装置と通信可能であり、
印刷物の仕上がりを確認するための印刷に用いる画像データであるテストチャートの選択を受け付けるテストチャート受付手段と、
印刷物の仕上がりを調整する調整項目の設定を受け付ける調整手段と、を有する印刷装置であって、
前記用紙、前記受け付けたテストチャートおよび前記調整手段によって受け付けた設定を、関連付けて読み出すことが可能なテスト情報として記憶する記憶手段と、
前記テスト情報に基づいて、前記印刷物の仕上がりを確認するための印刷をする印刷手段と、
を有することを特徴とする印刷装置。
【発明の詳細な説明】
【技術分野】
【０００１】
本発明は、印刷制御装置、印刷装置、画像形成システム、印刷制御装置の制御方法、プログラムおよび記録媒体に関する。
【背景技術】
【０００２】
ディジタル複合機などの画像データに基づいて印刷を行う印刷装置においては、所望の印刷物を得るために、印刷結果（印刷物の仕上がり）を調整するための調整項目の設定を用紙毎に行うことが可能である。
【０００３】
そして、調整項目の設定をした際にどのような印刷結果が得られるかをユーザが確認するために、印刷装置は、印刷装置に登録された印刷物の仕上がり調整用の画像データであるテストチャートを印刷する。
【０００４】
特許文献１では、あらかじめ登録されているテストチャート以外に、外部装置から印刷装置にユーザが指定したテストチャートを入力し、印刷装置はユーザが指定したテストチャートに対して識別子を設定して保存する。これにより、ユーザが指定したテストチャートの印刷を行う際に標準登録された内蔵のテストチャートのほかに、外部装置から受け付けたユーザが指定したテストチャートを選択することが可能となる。
【先行技術文献】
【特許文献】
【０００５】
【特許文献１】特開２００５‐８１７６２号公報
【発明の概要】
【発明が解決しようとする課題】
【０００６】
ユーザは、ユーザが指定した用紙において、調整項目を設定して、テストチャートの印刷（テスト印刷）を行う。そして、同じ用紙で調整項目の設定を変更し、テスト印刷を繰り返すことで所望の印刷物を得ることが可能な印刷設定を検討する。これによりユーザは、所望の印刷物を得ることが可能な印刷設定に基づき、画像データに基づく画像の用紙への印刷を行う。
【０００７】
ユーザによっては、例えば、テスト情報として、用紙の設定、任意のテストチャートにおける調整項目の設定を記憶した後、別の機会に、同じテスト情報を用いて印刷を行いたいことがある。または、別の機会に、同じテスト情報を読み出して、読み出したテスト情報のうち調整項目の設定を途中から行いたい場合がある。
【０００８】
特許文献１の構成においては、ユーザが指定したテストチャートを入力し、識別子を設定して保存しているが、画像データに基づく画像を用紙に印刷したときの各種パラメータは保存していない。そのため、別の機会に、同一の用紙およびテストチャートを用いた際に、同一の調整項目を用いるためには、調整項目の調整を一から行う必要がある。
【０００９】
本発明は、このような課題に鑑み、テスト情報を記憶した後、別の機会に、同じテスト情報を用いて印刷を行う場合、または、同じテスト情報を読み出して、調整項目の設定を途中から行いたい場合に、調整項目の調整を行う手間を減らすことを目的とする。
【課題を解決するための手段】
【００１０】
本発明は、印刷に用いられる用紙が収納された用紙収納部を備え、用紙収納部に収納された用紙を搬送し、用紙に画像を印刷する印刷装置と通信可能であり、印刷物の仕上がりを確認するための印刷に用いる画像データであるテストチャートの選択を受け付けるテストチャート受付手段と、印刷物の仕上がりを調整する調整項目の設定を受け付ける調整手段と、を有する印刷制御装置であって、用紙、受け付けたテストチャートおよび調整手段によって受け付けた設定を、関連付けて読み出すことが可能なテスト情報として記憶する記憶手段と、を有することを特徴とする。
【発明の効果】
【００１１】
本発明により、テスト情報を記憶した後、別の機会に、同じテスト情報を用いて印刷を行う場合、または、同じテスト情報を読み出して、調整項目の設定を途中から行いたい場合に、調整項目の調整を行う手間を減らすことが可能となるという効果がある。
【図面の簡単な説明】
【００１２】
【図１】画像形成システムの構成を示すブロック図
【図２】印刷装置のハードウェア構成を示すブロック図
【図３】印刷制御装置のハードウェア構成を示すブロック図
【図４】印刷制御装置のソフトウェア構成を示すブロック図
【図５】印刷装置のソフトウェア構成を示すブロック図
【図６】用紙管理アプリケーションの画面を示す図
【図７】用紙管理アプリケーションの起動時のフローチャート
【図８】印刷装置の起動時のフローチャート
【図９】用紙管理アプリケーションの画面を示す図
【図１０】テスト情報の調整画面を示す図
【図１１】テストチャートリストの一例を示す図
【図１２】テスト印刷を行う用紙収納部の選択画面を示す図
【図１３】調整項目毎の異なるテストチャートのテスト印刷結果について説明する図
【図１４】テスト印刷における印刷制御装置の処理フローチャート
【図１５】テスト情報の調整画面を示す図
【図１６】テスト情報の調整画面を示す図
【図１７】テスト印刷を行う調整値か否かを判定する処理フローチャート
【図１８】用紙リストについて説明する図
【発明を実施するための形態】
【００１３】
（実施例１）
図１は、画像形成システム１００の構成を示すブロック図である。図１の画像形成システム１００は、印刷装置１０３と、印刷制御装置１０２を備えている。
【００１４】
そして、この画像形成システム１００は、クライアントコンピュータ１０１と通信可能に接続されている。クライアントコンピュータ１０１と印刷制御装置１０２とは、イーサネット（登録商標）ケーブル１０９を使用してＬｏｃａｌ  Ａｒｅａ  Ｎｅｔｗｏｒｋ（ＬＡＮ）１１０を介して通信可能に接続されている。また、印刷制御装置１０２と印刷装置１０３とは、画像ビデオケーブル１０７及び制御ケーブル１０８を介して接続されている。
【００１５】
本実施例では、印刷装置１０３は、ＬＡＮ１１０に直接接続されていない。印刷装置１０３とクライアントコンピュータ１０１とは、印刷制御装置１０２を介して通信する。なお、印刷装置１０３は、ＬＡＮ１１０に直接接続されてもよい。
【００１６】
クライアントコンピュータ１０１は、アプリケーションを起動させて画像形成システム１００に印刷指示などを行う。
【００１７】
印刷制御装置１０２は、印刷装置１０３とともに画像処理を行う。印刷装置１０３は色々な機能を有する複合機である。印刷装置１０３は、クライアントコンピュータ１０１や印刷制御装置１０２からの画像処理を行うだけでなく、スキャナ２１３より読み込んだデータをコピーしたり、共有フォルダに送信したりすることが可能である。
【００１８】
スキャナ２１３で画像を走査する際は、操作部１０５にて各種キーを介して、ユーザから各種指示を受け付ける。また、操作部１０５はパネルを介して、スキャン状態などの各種情報を表示する。後処理装置１０６は画像が形成された用紙を受け取り用紙に対して後処理を行い排紙する。
【００１９】
長尺用紙収納デッキ１１６は長尺用紙を収納可能なペーパーデッキを示し、１１７は手差しトレイ、１１８はインサータを示す。表示部１１１は、印刷制御装置１０２における情報を表示する。操作ボタン部１１２は印刷制御装置１０２のハードウェアの操作ボタンである。操作ボタン部１１２が操作されることで表示部１１１に表示されている情報の操作が行われる。表示部１１１に表示される情報は印刷制御装置１０２を操作する上で、最低限必要となる情報（電源操作やＩＰアドレスの確認）を表示する目的で使用される。
【００２０】
表示装置１１３は印刷装置１０３に含まれ、液晶モニタ等の装置である。キーボード１１４およびポインタデバイス１１５は、印刷制御装置１０２の操作に用いる。本実施例では、印刷制御装置１０２と印刷装置１０３とを別の装置とするが、印刷制御装置１０２の処理を印刷装置１０３の内部に包含し、印刷制御装置１０２を物理的に配置しなくてもよい。また、表示装置１１３がタッチパッドのような位置入力機能を含む構成であり、ポインタデバイス１１５の機能を備えている構成でもよい。
【００２１】
図２は印刷装置１０３のハードウェア構成を示すブロック図である。
【００２２】
ＣＰＵ（Ｃｅｎｔｒａｌ  Ｐｒｏｃｅｓｓｉｎｇ  Ｕｎｉｔ）２０１は、印刷装置１０３全体の動作を制御する。
【００２３】
ＬＡＮコントローラ２０６は、ＬＡＮに接続される。ＣＰＵ２０１はＬＡＮコントローラ２０６を介して印刷制御装置１０２との通信処理が可能となっている。
【００２４】
ＲＡＭ（Ｒａｎｄｏｍ  Ａｃｃｅｓｓ  Ｍｅｍｏｒｙ）２０２は、ＣＰＵ２０１の主メモリ、ワークエリア等として機能する。
【００２５】
記憶装置２１１は、ハードディスク（ＨＤＤ）、ソリッドステートドライブ（ＳＳＤ）、ＩＣカード等によって構成される。記憶装置２１１は、アプリケーションプログラム、フォントデータ、フォームデータ等を記憶したり、プリントジョブを一時的にスプールしたり、スプールされたジョブを外部から制御するためのジョブ格納領域として使用される。記憶装置２１１に記憶されたプログラムは、ＲＡＭ２０２にロードされＣＰＵ２０１により実行される。
【００２６】
また、記憶装置２１１は、ＢＯＸデータ格納領域としても使用され、スキャナ２１３から読み取った画像データやプリントジョブの画像データをＢＯＸデータとして保持したり、ネットワークから参照したり、印刷を行う。本実施例においては、記憶装置としてはＨＤＤを使用するものとし、ジョブログ、画像ログ等各種ログを保持する。
【００２７】
ディスクコントローラ（ＤＫＣ）２０８は、記憶装置２１１へのアクセスを制御する。ＲＯＭ（Ｒｅａｄ  Ｏｎｌｙ  Ｍｅｍｏｒｙ）２０３は、ブートＲＯＭとして機能し、印刷装置１０３のブートプログラムが格納される。
【００２８】
操作部２０５は、ソフトウェアキーまたはハードウェアキーを含んで構成され、ソフトウェアキーまたはハードウェアキーをユーザが操作することで各種情報が入力される。
【００２９】
不揮発性メモリ２０９は、操作部２０５やネットワークを介して端末から設定される各種設定情報を記憶する。
【００３０】
ビデオＩ／Ｆ２１４は印刷制御装置１０２から画像データを受信する。
【００３１】
ＬＡＮコントローラ２０６は、ＬＡＮに接続され、ＬＡＮを介して画像データ、および、その他の上方の入出力を行う。
【００３２】
印刷Ｉ／Ｆ２０７は、印刷部（以下、プリンタエンジン）２１０とＣＰＵ２０１に接続される。ＣＰＵ２０１は、印刷Ｉ／Ｆ２０７を介してプリンタエンジン２１０に出力情報としての画像信号を出力する。
【００３３】
読取Ｉ／Ｆ２１２は、スキャナ２１３とＣＰＵ２０１に接続される。ＣＰＵ２０１は、読取Ｉ／Ｆ２１２を介してスキャナ２１３から入力される画像信号を制御する。
【００３４】
ＣＰＵ２０１、ＲＡＭ２０２、ＲＯＭ２０３、ビデオＩ／Ｆ２１４、操作部２０５、ＬＡＮコントローラ２０６、印刷Ｉ／Ｆ２０７、ＤＫＣ２０８、不揮発性メモリ２０９、読取Ｉ／Ｆ２１２は、システムバス２０４に接続される。ＣＰＵ２０１は、システムバス２０４を介して各種のデバイスとのアクセスを制御する。
【００３５】
図３は印刷制御装置１０２のハードウェア構成を示すブロック図である。
【００３６】
ＣＰＵ３０１は、印刷制御装置１０２全体の動作を制御する。例えば、ＣＰＵ３０１は、用紙収納部を使用可とするか、または、使用不可とするかを制御する使用制御を行う。
【００３７】
ＬＡＮコントローラ３０６は、ＬＡＮに接続され、ＣＰＵ２０１はＬＡＮコントローラ３０６を介して印刷装置１０３との通信処理が可能となっている。
【００３８】
ＬＡＮコントローラ３０７は、ＬＡＮに接続され、ＣＰＵ２０１はＬＡＮコントローラ３０７を介してネットワーク上のクライアントコンピュータ１０１や印刷装置１０３との通信処理を可能としている。
【００３９】
ＲＡＭ（Ｒａｎｄｏｍ  Ａｃｃｅｓｓ  Ｍｅｍｏｒｙ）３０２は、ＣＰＵ３０１の主メモリ、ワークエリア等として機能する。
【００４０】
記憶装置３０９は、ハードディスク（ＨＤＤ）、ソリッドステートドライブ（ＳＳＤ）、ＩＣカード等によって構成される。記憶装置３０９は、アプリケーションプログラム、フォントデータ、フォームデータ等を記憶したり、プリントジョブを一時的にスプールしたり、スプールされたジョブを外部から制御するためのジョブ格納領域として使用される。記憶装置３０９に記憶されたプログラムは、ＲＡＭ３０２にロードされＣＰＵ３０１により実行される。
【００４１】
なお、スプールされたジョブはＲＩＰ（Ｒａｓｔｅｒ  Ｉｍａｇｅ  Ｐｒｏｃｅｓｓｏｒ）処理される。そして、記憶装置３０９は、ＲＩＰ処理された画像データを再度保存するためのジョブ格納領域として使用される。
【００４２】
ディスクコントローラ（ＤＫＣ）３０８は、記憶装置３０９へのアクセスを制御する。ＲＯＭ３０３は、ブートＲＯＭとして機能し、印刷装置１０３のブートプログラムが格納される。
【００４３】
操作部３０５は、操作ボタン部１１２および表示部１１１を含んで構成され、操作ボタン部１１２をユーザが操作することで各種情報が入力される。入力された情報は、表示部１１１に表示される。
【００４４】
ビデオＩ／Ｆ３１０は、印刷装置１０３へＲＩＰ処理された画像データを出力する。キーボードコントローラ（以下、ＫＢＣ）３１１は、キーボード１１４、マウス（登録商標）等のポインタデバイス１１５からの情報などの入力に係る処理を行う。
【００４５】
表示制御部３１２は、内部にメモリ（以下、ビデオメモリ）を有する。表示制御部３１２は、ＣＰＵ３０１から受けた指示に従いビデオメモリに画像データを保持し、保持された画像データをビデオ信号として表示装置１１３に出力する。
【００４６】
ＣＰＵ３０１、ＲＡＭ３０２、ＲＯＭ３０３、ビデオＩ／Ｆ３１０、操作部３０５、ＬＡＮコントローラ３０６、ＬＡＮコントローラ３０７、ＤＫＣ３０８、記憶装置３０９、ＫＢＣ３１１、表示制御部３１２は、システムバス３０４に接続される。ＣＰＵ３０１は、システムバス３０４を介して各種のデバイスとのアクセスを制御する。
【００４７】
図４は、印刷制御装置１０２のソフトウェア構成を示すブロック図である。これらのソフトウェアモジュールは、記憶装置３０９にプログラムとして格納されＣＰＵ３０１によってＲＡＭ３０２に読み出され実行される。
【００４８】
ＵＩ制御部１２０１は、操作部３０５および表示制御部３１２を介して、表示部１１１および表示装置１１３の表示制御を行う。また、操作ボタン部１１２、キーボード１１４、ポインタデバイス１１５で設定される各種設定情報の入力を制御する。
【００４９】
印刷ジョブ管理部１２０２は、ユーザから受け付けた印刷ジョブデータを管理する。具体的には、記憶装置３０９に保存された印刷ジョブデータの呼び出しや、ユーザによる印刷ジョブの設定変更の反映、印刷済みのジョブの履歴管理などの処理を行う。印刷ジョブ処理部１２０３は、ユーザから受け付けた印刷ジョブの解析、画像データの生成、画像圧縮伸長など印刷処理実行に必要な処理を行う。
【００５０】
データ送受信部１２０４は、印刷装置１０３との間の各種データの送受信を管理する。印刷ジョブ処理部１２０３によって生成された印刷ジョブデータはデータ送受信部１２０４により印刷装置１０３へと送信される。また、データ送受信部１２０４は、外部ネットワークを介して接続されるクライアントコンピュータ１０１とのデータ送受信も管理する。
【００５１】
用紙リスト表示部１２０５は、表示装置１１３に表示される用紙管理アプリケーションのトップ画面に用紙情報を用紙リストとして表示する。用紙管理アプリケーションとは印刷装置１０３で使うことのできる用紙の種類や大きさ、坪量等の特徴を管理し、それぞれの用紙について各調整項目を設定することが可能なアプリケーションである。ここで設定された各調整項目の値が用紙情報として記録される。
【００５２】
用紙リスト表示部１２０５は、表示対象となる用紙リストが更新される度に表示装置１１３の表示を切り替える。本実施例において、ユーザは用紙管理アプリケーションを用いて、どの用紙収納部にどの用紙情報の用紙を収納するかを設定することが可能である。
【００５３】
用紙リスト作成部１２１１は、用紙リスト表示部１２０５が表示する用紙リストを作成する。用紙リスト作成部１２１１はユーザが用紙情報を用紙収納部に登録した回数の多い順に表示する用紙リストを作成する。用紙リスト作成にかかる処理の詳細は後述する。
【００５４】
用紙登録履歴情報１２１３は、用紙データベースに記憶されている各用紙情報についてどの用紙情報をどの用紙収納部に何回登録したかを示す情報である。本情報は、用紙リスト作成部１２１１が用紙リスト作成する時に利用される。
【００５５】
用紙登録履歴情報管理部１２１２は、用紙登録履歴情報１２１３を管理する。たとえば、用紙登録履歴情報管理部１２１２はユーザが用紙リストから用紙情報を選択して、用紙収納部に登録したことに従って、用紙登録履歴情報１２１３を更新する。用紙データベース情報１２１４は、印刷装置１０３において利用可能な用紙の種類やサイズ、坪量等の用紙情報を記憶するデータベースである。本データベースは記憶装置３０９に記憶されている。
【００５６】
用紙データベース情報１２１４には、印刷装置１０３の製品仕様として予め登録されている用紙情報に加え、ユーザが用紙管理アプリケーションを用いて所定の操作を行い作成する用紙情報も記憶されている。また、印刷装置１０３においても同じ情報を記憶しており、印刷装置１０３または印刷制御装置１０２のいずれかのデータベースが更新されるとデータ送受信部１２０４を介して他方のデータベースも更新される。
【００５７】
画面表示部１２０６は、図６の用紙収納部ボタン４０６〜４１１の表示を制御する。ユーザが用紙リストから用紙情報を選択し、用紙収納部に登録したことに従って、用紙収納部ボタンに登録された用紙情報を表示する。
【００５８】
検知部１２０７は、図６の用紙管理アプリケーションのトップ画面４０１上でのポインタデバイス１１５などの操作部によるクリック動作を検知する。検知部１２０７はポインタデバイス１１５がクリックされたことを検出するとともに、クリックが行われた位置についての情報を取得する。
【００５９】
用紙設定可否取得部１２０８は、印刷装置１０３へ、ユーザが選択した用紙情報の用紙が各用紙収納部にセットできるか否かを問い合わせる。また、印刷装置１０３から、その問い合わせ結果を受信する。
【００６０】
用紙収納情報設定部１２１０は、印刷装置１０３が備える用紙収納部に登録されている用紙情報を記憶する。用紙収納情報設定部１２１０は各用紙収納部と用紙情報を対応づけて記憶している。たとえば、図６（ａ）に示すトップ画面４０１が表示装置１１３に表示されているとき、用紙収納情報設定部１２１０は「用紙収納デッキ１」に「厚紙  Ａ４」の用紙情報が登録されていることを記憶している。
【００６１】
用紙収納情報管理部１２０９は、ユーザからキーボード１１４およびポインタデバイス１１５の操作に応じて用紙収納情報設定部１２１０を更新する。また、用紙収納情報設定部１２１０が更新された際は、データ送受信部１２０４を介して、印刷装置１０３が持つ図５の用紙収納情報１２０６と同期する。
【００６２】
図５は、印刷装置１０３のソフトウェア構成を示すブロック図である。これらのソフトウェアモジュールは、記憶装置２１１にプログラムとして格納されＣＰＵ２０１によってＲＡＭ２０２に読み出され実行される。
【００６３】
ＵＩ制御部１３０１は、操作部２０５への表示および操作部２０５からの入力を制御する。
【００６４】
印刷ジョブ解析部１３０２は、印刷制御装置１０２から受信する印刷ジョブのデータを解析する。印刷ジョブ処理部１３０３は、印刷ジョブに対して印刷装置１０３で必要な印刷処理を実行する。印刷ジョブ実行部１３０４は、印刷ジョブに対する用紙収納、紙搬送、印字、排紙などの一連の印刷動作を制御する。
【００６５】
印刷装置は用紙収納部を複数備えており、印刷ジョブ実行部１３０４は、印刷ジョブ解析部１３０２の解析した使用する用紙の情報および、後述する用紙収納情報１３０６に基づいて、使用する用紙がセットされている用紙収納部を特定する。そして、当該トレイから用紙収納を行う。データ送受信部１３０５は、印刷制御装置１０２との間のデータ送受信を制御する。
【００６６】
用紙収納情報１３０６は、印刷装置１０３が備える各用紙収納部と各用紙収納部に登録されている用紙情報との関係を記憶したものである。用紙収納情報１３０６は、用紙管理アプリケーションを用いて設定される用紙収納情報設定部１２１０と同期されることで情報が更新される。
【００６７】
用紙と用紙収納部の対応表１３０７は、用紙収納部と各用紙収納部にセットすることのできる用紙の関係を示す表である。
【００６８】
用紙登録可否判断部１３０８は、印刷制御装置１０２から問い合わせがあった場合に、用紙と用紙収納部の対応表１３０７を参照し、問い合わせのあった用紙を各用紙収納部にセットすることができるか否かを判断する。
【００６９】
用紙収納情報設定部１３１０は、各用紙収納部に登録されている用紙情報を記憶したり、各用紙収納部に登録されている用紙情報を取得したりするための処理を行う。
【００７０】
用紙登録履歴情報取得部１３０９は、印刷装置１０３において用紙収納情報１３０６が更新されるとその情報を取得し、印刷制御装置１０２へデータ送受信部１３０５を介して送信する。
【００７１】
用紙データベース情報１３１１は、前述の印刷制御装置１０２における用紙データベース情報１２１４と同じため説明を省略する。本データベースは記憶装置２１１に記憶されている。
【００７２】
データ取得部１３１２は、印刷装置１０３のＲＯＭ２０３や記憶装置２１１から印刷装置１０３のモデル情報やハードウェアオプション情報を取得する。取得された情報は印刷制御装置１０２からの要求に応じて、データ送受信部１３０５を介して印刷制御装置１０２に送信される。
【００７３】
図４、図５において用紙収納情報設定部１２１０および１３０６、用紙データベース情報１２１４および１３１１は印刷制御装置１０２および印刷装置１０３の両方に記憶されていることとした。しかし、用紙収納部情報、用紙データベース情報はそれぞれ印刷制御装置１０２と印刷装置１０３のいずれかに記憶されていることとしてもよい。
【００７４】
図６を用いて、本実施例で用いられる印刷制御装置１０２の用紙管理アプリケーションについて説明する。図６は用紙管理アプリケーションが起動したときに表示装置１１３に表示されるトップ画面４０１である。用紙管理アプリケーションは、ユーザが印刷制御装置１０２上で起動することにより動作する。
【００７５】
図６（ａ）は画像形成装置に取り付けられている各用紙収納トレイにセットされた用紙の用紙情報を表示した画面である。図６（ｂ）は画像形成装置の各種調整項目を設定することのできるボタンを表示した画面である。用紙管理アプリケーションのトップ画面４０１は、ＣＰＵ３０１からの指示に従ってそのビデオメモリに描画されると共に、ビデオメモリに描画されたイメージデータをビデオ信号として表示装置１１３に出力され、表示される。
【００７６】
トップ画面４０１は用紙管理アプリケーションのトップ画面である。表示領域４０２は、デバイスタブ４０３、調整タブ４０４を用いて表示内容を変更することのできる領域である。ユーザがデバイスタブ４０３を押下すると、表示領域４０２に画像形成装置の用紙収納トレイにセットされた用紙の用紙情報を表示した図６（ａ）が表示される。ユーザが調整タブ４０４を押下すると、表示領域４０２に各種調整を設定することのできるボタンを表示した図６（ｂ）が表示される。
【００７７】
接続状況４０５は、現在、印刷制御装置１０２に接続されている、画像形成装置のハードウェアオプションの接続状況を表している。用紙管理アプリケーションが起動したときに、印刷制御装置１０２は画像形成装置のハードウェアオプション情報を取得し、このオプション情報に従い正しい画像を表示する。
【００７８】
本実施の形態の図６（ａ）では、用紙収納トレイを複数持っているＰＯＤ（Ｐｒｉｎｔ  Ｏｎ  Ｄｅｍａｎｄ）デッキが複数取り付けられており、フィニッシャが取り付けられている状態を表している。
【００７９】
用紙収納部ボタン４０６〜４１３には、各用紙収納トレイにセットされている用紙の用紙情報が表示される。
【００８０】
用紙リスト表示領域４１４は用紙リストに記憶されている用紙情報に基づく用紙リストを表示する領域である。列に用紙のサイズや坪量などの属性情報を表示し、行に用紙の種類を表示する。表示されている用紙の属性情報以外を表示したい場合は、スライダーバー４１６を操作する。また、表示されている用紙以外を表示したい場合は、スライダーバー４１５を操作する。デバイスタブ４０３を選択しているときは、用紙収納トレイにセットされている用紙の用紙情報と、用紙リストに記憶されている用紙情報の一覧の両方を同時に確認することができる。
【００８１】
図６（ｂ）は用紙リスト表示領域４１４に表示される用紙情報について、用紙情報ごとに調整項目の設定を行うための画面である。調整項目リスト４１７は各種調整項目の設定を行うためのボタンが配されたリストである。画像形成装置で調整可能な調整項目が表示されている。スライダーバー４１８は操作することで、現在表示されていない調整項目の設定を確認することができる。
【００８２】
二次転写電圧ボタン４１９は、二次転写電圧の調整を行うボタンである。二次転写電圧の調整を行うことで、転写不良による色むらが発生した場合に転写ロールの電圧比を調整することで転写不良を改善することが可能となる。
【００８３】
光沢性／黒品位の調整ボタン４２０は、光沢性／黒品位の調整を行うボタンである。普通紙やコート紙を使用するときなどに、定着器の温度を調整することで出力画像の光沢を調整することが可能となる。
【００８４】
ユーザは用紙管理アプリケーションのトップ画面４０１を用いて用紙収納トレイに用紙情報を登録する。ユーザはデバイスタブ４０３を選択する。ユーザは、ポインタデバイス１１５のカーソルを選択する用紙の用紙情報に合わせて押下する。選択することのできる用紙情報は、用紙リストに表示されている用紙情報、または、用紙収納トレイボタン４０６〜４１３に現在登録されている用紙情報である。
【００８５】
ユーザは、選択したい用紙情報にカーソルを合わせてマウスのボタンを押したまま、当該用紙情報の用紙をセットする用紙収納トレイボタンが表示されている位置までカーソルを動かす。カーソルが登録を行いたい用紙収納トレイボタンの位置まで移動したのち、ユーザがマウスのボタンを離す。このようにすることで、選択された用紙情報をユーザがマウスのボタンを離したときにカーソルが指示している用紙収納トレイに登録することができる。ユーザは用紙情報を用紙収納トレイに登録した後、用紙収納トレイに当該用紙情報の用紙をセットする。
【００８６】
図７に印刷制御装置１０２が用紙管理アプリケーションを起動した際に行う処理を示す。図７のフローチャートに係る処理を実行するためのプログラムは、図３の記憶装置３０９に格納されており、ＲＡＭ３０２に読み出されＣＰＵ３０１によって実行される。
【００８７】
用紙管理アプリケーションが起動すると、ＣＰＵ３０１は用紙管理の対象となる印刷装置１０３のモデルを判別する（Ｓ５０１）。具体的には、ＣＰＵ３０１は、印刷装置１０３と通信を行ってモデル情報を取得し、ＣＰＵ３０１は記憶装置３０９に予め保持しているモデル判別情報を元に、印刷装置１０３のモデルを判別する。
【００８８】
ステップＳ５０１の後、ＣＰＵ３０１は、印刷装置１０３の接続されているハードウェアオプション情報を判別する（ステップ５０２）。具体的には、用紙管理アプリケーションは、印刷装置１０３と通信を行い、ハードウェアオプション情報を取得し、ＣＰＵ３０１があらかじめ保持しているハードウェアオプション情報を元に、ハードウェアオプション情報の判別を行う。
【００８９】
ステップＳ５０２の後、ＣＰＵ３０１は、用紙管理の対象となる印刷装置１０３に接続されている用紙収納部の判別を行い、接続されている用紙収納部の数を特定する（Ｓ５０３）。
【００９０】
ステップＳ５０３の後、ＣＰＵ３０１は、印刷装置１０３と通信を行いそれぞれの用紙収納部に設定されている用紙情報を取得する（Ｓ５０４）。
【００９１】
ステップＳ５０４の後、ＣＰＵ３０１は、画面４０１に表示する用紙収納部ボタン４０６〜４１１の情報を作成する（Ｓ５０５）。
【００９２】
ステップＳ５０５の後、ＣＰＵ３０１は、印刷装置１０３と通信を行って用紙リスト情報を取得する（Ｓ５０６）。用紙リスト情報は印刷装置１０３の記憶装置２１１に記憶されており、印刷装置１０３に記憶されている用紙リストは印刷制御装置１０２に記憶されている用紙リストと同期されている。
【００９３】
ステップＳ５０６の後、ＣＰＵ３０１は、用紙リスト表示領域４１４に表示する用紙リストを作成する（Ｓ５０７）。上記の方法以外でも、印刷制御装置１０２の表示装置１１３において表示する用紙リストが作成される処理が行われればよい。例えば、ステップＳ５０５において、データ送受信部１２０４は、印刷装置１０３と印刷制御装置１０２とに記憶されている用紙データベースを同期する。Ｓ５０６において、同期後の用紙データベースに基づいて用紙リスト作成部１２１１が用紙リストを生成することとしてもよい。
【００９４】
ステップＳ５０７の後、ＣＰＵ３０１は、印刷装置１０３と通信を行い、調整項目リスト４１７に含まれる調整ボタンを用いて各種調整項目の調整値を取得する（Ｓ５０８）。
【００９５】
ステップ５０８の後、ＵＩ制御部１２０１は、取得した調整値に基づいて、調整項目リスト４１７に含まれる各調整ボタンに表示する文字列を作成する。調整値が一つしかない場合はその値を表示し、２つ以上ある場合は調整あり／調整なしを表示する（Ｓ５０９）。
【００９６】
ＵＩ制御部１２０１は、（）内の情報を用いてＣＰＵ３０１のトップ画面４０１を作成する。（ステップＳ５０１、Ｓ５０２で取得した印刷装置１０３のモデル情報およびハードウェアオプション情報、ステップＳ５０５で作成した用紙収納部ボタン情報、ステップＳ５０７で作成した用紙リスト情報、ステップＳ５０９で作成した調整ボタン情報。）そして、作成したトップ画面４０１は、表示装置１１３に表示される（Ｓ５１０）。これにより、図７（ａ）、図７（ｂ）に示す画面が生成される。
【００９７】
図８のフローチャートを用いて、印刷制御装置１０２が起動したときの印刷装置１０３の動作を説明する。図７のフローチャートに係る処理を実行するためのプログラムは、図２の記憶装置２１１に格納されており、ＲＡＭ２０２に読み出され、ＣＰＵ２０１によって実行される。印刷装置１０３は、起動することで処理を開始する。
【００９８】
まず、ＣＰＵ２０１は、自身のモデル情報を記憶装置２１１より取得し、返信可能なデータとして作成する（Ｓ６０１）。
【００９９】
ステップＳ６０１の後、ＣＰＵ２０１は、自身に接続されているハードウェアオプション情報を記憶装置２１１より取得し、返信可能なデータとして作成する（Ｓ６０２）。
【０１００】
ステップＳ６０２の後、ＣＰＵ２０１は、自身の用紙収納部情報に関する情報と、ステップＳ６０２で取得したハードウェアオプション情報から、用紙収納部情報のデータを作成する（Ｓ６０３）。
【０１０１】
ステップＳ６０３の後、ＣＰＵ２０１は自身の用紙リスト情報を記憶装置２１１より取得し、返信可能なデータとして作成する（Ｓ６０４）。
【０１０２】
ステップＳ６０４の後、ＣＰＵ２０１は自身の調整値情報を記憶装置２１１より取得し、返信可能なデータとして作成する（Ｓ６０５）。なお調整値はＣＰＵ２０１で実施可能な調整項目すべてに対する調整値を取得する。
【０１０３】
ステップＳ６０５の後、ステップＳ６０６にてＣＰＵ２０１は印刷制御装置１０２よりモデル情報の問合わせを受信したか否かを判断する。モデル情報の問合わせを受信した場合は、ステップＳ６０７に遷移する。モデル情報の問い合わせを受信しなかった場合は、ステップＳ６０８に遷移する。
【０１０４】
モデル情報の問合わせを受信した場合に、ＣＰＵ２０１は、ステップＳ６０１で作成したモデル情報を印刷制御装置１０２に送信する（Ｓ６０７）。
【０１０５】
ステップＳ６０７の後、または、ステップＳ６０６でモデル情報の問合わせを受信しなかった場合に、ＣＰＵ２０１は、印刷制御装置１０２よりハードウェアオプション情報の問合せを受信した否かを判断する（Ｓ６０８）。
【０１０６】
ステップＳ６０８において、印刷装置１０３は、ハードウェアオプション情報の問合せを受信していた場合はＳ６０９に遷移し、ハードウェアオプション情報の問合せを受信していなかった場合には、ステップＳ６１０に遷移する。
【０１０７】
ハードウェアオプション情報の問合せを受信していた場合、データ送受信部１３０５は、ステップＳ６０２で作成したハードウェアオプション情報を印刷制御装置１０２に送信する（ステップＳ６０９）。
【０１０８】
ステップＳ６０９の後、または、ステップＳ６０８でハードウェアオプション情報の問合せを受信していなかった場合に、ＣＰＵ２０１は、印刷制御装置１０２より用紙収納部情報の問合せを受信したか否かを判断する（Ｓ６１０）。
【０１０９】
ＣＰＵ２０１は、ステップＳ６１０において用紙収納情報の問合せを受信した場合に、ステップＳ６１１に遷移し、用紙収納情報の問合せを受信した場合にステップＳ６１２に遷移する。このとき、用紙収納情報の問合せを受信した場合に、ＣＰＵ２０１は、ステップＳ６０３で作成した用紙収納部情報を印刷制御装置１０２に送信し（Ｓ６１１）、ステップＳ６１２に遷移する。
【０１１０】
ステップＳ６１１の後、または、ステップＳ６１０において用紙収納情報の問合せを受信しなかった場合に、ＣＰＵ２０１は、印刷制御装置１０２より用紙リスト情報の問合せを受信したか否かを判断する（Ｓ６１２）。
【０１１１】
ＣＰＵ２０１は、ステップＳ６１２において、用紙リスト情報の問合せを受信していた場合はＳ６１３に遷移し、用紙リスト情報の問合せを受信していなかった場合にＳ６１４に遷移する。
【０１１２】
用紙リスト情報の問合せを受信していた場合に、ＣＰＵ２０１は、ステップＳ６０４で作成した用紙収納部情報を印刷制御装置１０２に送信し（Ｓ６１３）、ステップＳ６１４に遷移する。
【０１１３】
ステップＳ６１３の後、または、ステップＳ６１２において用紙リスト情報の問合せを受信しなかった場合に、ＣＰＵ２０１は、印刷制御装置１０２より調整値情報の問合せを受信したか否かを判断する（Ｓ６１４）。
【０１１４】
ステップＳ６１４で、調整値情報の問合せを受信していた場合に印刷装置１０３は、Ｓ６１５に遷移し、調整値情報の問合せを受信していなかった場合にＳ６０６に遷移する。
【０１１５】
調整値情報の問合せを受信していた場合にＣＰＵ２０１は、Ｓ６０５で作成した用紙収納部情報を印刷制御装置１０２に送信する（Ｓ６１５）。
【０１１６】
ステップＳ６１５の後、または、ステップＳ６１４においてＣＰＵ２０１は、調整値情報の問合せを受信しなかった場合に処理をＳ６０６にもどす。
【０１１７】
図９は用紙収納デッキ１の用紙設定画面である。用紙収納デッキ１の用紙設定画面は、ＣＰＵ３０１からの指示に従ってそのビデオメモリに描画すると共に、ビデオメモリに描画されたイメージデータをビデオ信号として表示装置１１３に出力され、表示される。
【０１１８】
画面７０１は用紙収納デッキ１の用紙収納部画面の初期画面である。画面７０１には、表示領域７０２と、表示領域７０３と、割当ボタン７０４、更新ボタン７０５、閉じるボタン７０６が表示される。
【０１１９】
表示領域７０２は現在選択されている用紙の設定情報を表示する。用紙収納部ボタン４０６を押下して、画面７０１が開いた時には、用紙収納デッキ１に現在割り当てられている用紙の情報を表示する。
【０１２０】
表示領域７０３は、印刷装置１０３が管理している用紙情報を印刷制御装置１０２が受信して表示する。ここでは、用紙情報として、用紙の種類に対応した、用紙の属性値（坪量、サイズ、幅など）、不図示の調整項目の設定（画像位置調整、カール補正、光沢性／黒品位の調整など）がリスト化されている。
【０１２１】
表示領域７０３に表示された用紙リストから用紙を選択した場合は、選択された用紙の情報を表示領域７０２に表示する。
【０１２２】
まず、表示領域７０２の各入力項目について説明する。テキストフィールド７０７は用紙の名称を入力することが可能な領域である。テキストフィールド７０７に記載された名称を変更する場合は、テキストエリアにキーボード１１４等を使用して、文字を入力することが可能である。以降の説明では、入力時にキーボード１１４等を使用するといった説明は省略する。
【０１２３】
更新ボタン７０５を押すことで、印刷制御装置１０２に表示された用紙情報が、受け付けた変更を反映した用紙情報に更新される。さらに、印刷制御装置１０２は、受け付けた変更を反映した用紙情報を印刷装置１０３に送信する。そして、印刷装置は、受信した用紙情報を記憶する。
【０１２４】
テキストフィールド７０８は坪量を入力することが可能な領域である。操作に関してはテキストフィールド７０７と同様であるため説明を省略する。
【０１２５】
コンボボックス７０９は、用紙のサイズ情報を表示する領域である。リスト表示されたサイズ情報から所望のサイズを選択して、設定することが可能となる。コンボボックス７１０は、表面性情報を表示する領域である。コンボボックス７１１は、特長情報を表示する領域である。コンボボックス７１２は、色情報を表示する領域である。コンボボックス７１３は、両面２面目情報を表示する領域である。コンボボックス７１４は、スキ目情報を表示する領域である。コンボボックス７１０、７１１、７１２、７１３、７１４の操作に関してはコンボボックス７０９と同様であるため説明を省略する。
【０１２６】
設定領域７１５は、各種調整項目の設定をまとめて表示する領域である。ここでは、例として一部の調整項目を示す。図９のように設定領域７１５に調整項目が多数存在する際に、現在表示されていない調整の調整項目を確認する場合は、スライダーバー７１６を操作することで設定値を表示することが可能である。
【０１２７】
設定項目ボタン７１７は画像位置調整の設定を行うボタンであり、現在の用紙が既に調整済みか否かを表示する。すでに調整済みの場合は、調整ありと表示し、調整していない場合は、調整なしと表示する。設定項目ボタン７１７を押下することで、調整画面が開き、この調整画面で各種調整値を入力することが可能である。
【０１２８】
設定項目ボタン７１８は、カール補正の設定を行うボタンである。設定項目ボタン７１９は、サドル折位置の調整を行うボタンである。この設定項目ボタン７１９には、現在の調整値を例えばｍｍ単位で表示する。
【０１２９】
設定項目ボタン７２０はクリープ補正量の調整を行うボタンである。設定項目ボタン７２１は中とじ折位置の調整を行うボタンである。設定項目ボタン７２２は中とじ位置調整の調整を行うボタンである。設定項目ボタン７２３は二次転写電圧の調整を行うボタンである。設定項目ボタン７２４は先端部二次転写電圧の調整を行うボタンである。
【０１３０】
設定項目ボタン７２５は二次転写除電バイアスの調整を行うボタンである。設定項目ボタン７２６は一次転写電圧の調整を行うボタンである。設定項目ボタン７１８〜７２６の操作に関しては、設定項目ボタン７１７と同様であるため説明を省略する。
【０１３１】
次に、表示領域７０３について説明する。表７２７は用紙リストを表示する表である。列に用紙の用紙情報を行に用紙が設定され、行に各用紙情報が設定される。表示されている用紙の用紙情報以外を表示したい場合は、スライダーバー７２８、スライダーバー７２９を操作することで表示可能となる。
【０１３２】
行７３０は厚紙の用紙情報を示している。図９では厚紙がユーザによって選択されていることが分かるように、例えば反転表示するなどの表示を行う。
【０１３３】
行７３１〜７３３は、表示領域７０２に表示されていない用紙の用紙情報である。用紙リスト表示領域７０３の表７２７より、選択されていない行７３１〜７３３のいずれかを選択すると、表示領域７０２に選択中の用紙の情報が表示される。この状態で、割当ボタン７０４を押下することで、用紙収納デッキ１に新たに選択した用紙を割り当てることが可能となる。何も変更せずに終了する場合は、閉じるボタン７０６を押下する。
【０１３４】
次に図１０を用いて、テスト情報の調整について説明する。図１０は、テスト情報の調整画面の一例として、図９の光沢性／黒品位の調整項目ボタン７２６が押下されたときの用紙情報の調整画面を示す。ここでは、用紙、テストチャート、調整項目の設定をまとめてテスト情報と呼ぶ。なお、まとめてとは、関連付けて読出しを行う際に可能であることをいう。
【０１３５】
まず、調整画面８０１は、光沢性／黒品位の調整画面である。用紙リスト表示領域４１４から所定の用紙を選択し、光沢性／黒品位の調整項目ボタン７２６を押すと、図１０の調整画面８０１が開く。このとき調整画面８０１は、ＣＰＵ３０１からの指示に従ってそのビデオメモリに描画すると共に、ビデオメモリに描画されたイメージデータをビデオ信号として表示装置１１３に出力され、表示される。
【０１３６】
調整画面８０１は、光沢性／黒品位の設定をすることが可能な画面である。テキストボックス８０２は、光沢性の設定をする際に用いる。テキストボックス８０３は、黒品位の設定をする際に用いる。光沢性と黒品位の設定は、それぞれ調整値が連動していて、一方を変更すると他方は対応する値に自動的に変更される。なお、黒品位の設定をした場合は、この調整値はＯＨＰフィルム、コート紙、ベラム紙には無効となる。よって、この設定を行った時には、ＯＨＰフィルム、コート紙、ベラム紙は調整できない用紙となる。
【０１３７】
テキストボックス８０２、８０３は、直接ユーザによって調整値を入力することが可能である。またユーザは、−ボタン８０４、８０６と＋ボタン８０５、８０７を押すことで、調整値を入力することも可能である。テキストボックス８０２、８０３に調整値を入力し、ＯＫボタン８０８またはテストプリントボタン８１０を押すことで、光沢性／黒品位の設定を変更することが可能である。
【０１３８】
印刷制御装置１０２は、ＯＫボタン８０８が押されることで調整値を入力した後の光沢性／黒品位の設定を保存する。
【０１３９】
印刷制御装置１０２は、キャンセルボタン８０９が押されることでテキストボックス８０２、８０３に入力された値を光沢性／黒品位の設定として記憶しない。
【０１４０】
印刷制御装置１０２は、テストプリントボタン８１０が押されることで調整値を入力した後の光沢性／黒品位の設定に基づいて印刷を行った場合の印刷物の仕上がりを確認するためのテスト印刷の実行を印刷装置１０３に指示するボタンである。
【０１４１】
なおテスト印刷において、印刷装置１０３はテストチャートと呼ばれる画像データをユーザから受け付け、受け付けたテストチャートを用いて印刷する（テストチャート受付）。テストチャートは、内蔵テストチャートとユーザ指定テストチャートが存在する。本実施例では、あらかじめ印刷装置１０３に保存されているテストチャートを、内蔵テストチャートと呼ぶ。そして本実施例では、ユーザが印刷制御装置１０２を介して、画像データを指定して印刷装置１０３に登録したテストチャートを、ユーザ指定テストチャートと呼ぶ。
【０１４２】
テストチャート選択ボックス８１１は、テスト印刷を行う際にテストチャートリストに登録されたテストチャートの中から所定のテストチャートを選択可能にしたボックスである。なお、テストチャート選択ボックス８１１は、印刷制御装置１０２に保存されたテストチャートリストを基に表示されている。
【０１４３】
新規のユーザ指定テストチャートを追加する場合に、ユーザは、ファイル入力エリア８１２に、追加したい画像データのパス、または画像データを、キーボード１１４を使用して入力し、追加ボタン８１３を押す。これにより追加したユーザ指定テストチャートが、印刷制御装置１０２のテストチャートリストに記憶される（テストチャート追加）。そして、テストチャート選択ボックス８１１にて、テストチャートリストに追加したユーザ指定テストチャートがユーザによって選択可能になる。
【０１４４】
なお、ファイル入力エリアに画像データを入力する場合には、入力した画像データは、用紙管理アプリケーションが管理するディレクトリにコピーされて保存される。
【０１４５】
図１１を用いて、印刷制御装置１０２に保存されたテストチャートリストの一例を示す。テストチャートリスト１７０１には、過去のテスト情報が保存されている。過去のテスト情報とは、例えば、過去に印刷は行っていないが調整項目の設定を行った、または、過去に印刷を行った、ことにより印刷制御装置１０２にあらかじめ記憶された、用紙、テストチャート、調整項目の設定である。
【０１４６】
なお、図１１ではユーザ指定テストチャートが選択された場合の過去のテスト情報が記憶されている構成を示すが、内蔵テストチャートが選択された場合の過去のテスト情報を記憶してもよい。
【０１４７】
また、ここでは、光沢性／黒品位の調整項目に関するテストチャートリストを示すが、各調整項目に対応してテストチャートリストがあってよい。
【０１４８】
テストチャートリスト１７０１において、用紙名１７０２は、選択された用紙の種類を示す。ファイル名１７０３は、画像データのファイル名または画像データのパスを示す。調整項目の設定は、各調整項目における調整結果を示す。ここでは、光沢性／黒品位の設定を示し、調整値が調整結果として示されている。
【０１４９】
行１７０５には、選択された用紙として普通紙１、画像データのパスとして「Ｃ：￥ａｂｃ￥ｕｓｅｒ＿ｔｅｓｔｃｈａｒｔ１．ｐｄｆ」、設定として調整値「２」、これらの情報がまとめて保存されている。行１７０６には、選択された用紙として普通紙１、画像データのパスとして「Ｃ：￥ａｂｃ￥ｕｓｅｒ＿ｔｅｓｔｃｈａｒｔ１．ｐｄｆ」、設定として調整値「１」、これらの情報がまとめて保存されている。
【０１５０】
つまり行１７０５と行１７０６は、同じ用紙、同じ画像データのパスであるが、設定された調整値が異なるテスト情報が保存されている。
【０１５１】
このように、図１１のテストチャートリストは、過去に保存したテスト情報が保存されているものとなる。
【０１５２】
次に図１２を用いて、テスト印刷を行う用紙収納部の選択について説明する。図１２は、テスト印刷を行う用紙収納部の選択画面の一例として、図１０のテストプリントボタン８１０が押されたときの選択画面を示す。
【０１５３】
図１２のテスト印刷を行う用紙収納段の選択画面９０１は、ＣＰＵ３０１からの指示に従ってそのビデオメモリに描画すると共に、ビデオメモリに描画されたイメージデータをビデオ信号として表示装置１１３に出力され、表示される。
【０１５４】
選択画面９０１は、印刷装置１０３のイメージ画面と、複数の用紙収納部９０３〜９１０の各々を示すボタンが配置された画面である。印刷制御装置１０２に接続されている印刷装置１０３のハードウェアオプションの接続状況を接続状況９０２に示している。
【０１５５】
ユーザは、テスト印刷を実施したい用紙収納部を選択し、選択された用紙収納部に収納された用紙を用いてテスト印刷を行うことが可能となる。例えば、用紙収納部ボタン９０３を押した場合、印刷制御装置１０２は、図８のテキストボックス８０２、８０３の光沢性／黒品位の調整値を含むテスト情報を印刷装置１０３に送信する。印刷装置１０３は、受信したテスト情報を基にテスト印刷を実施する。
【０１５６】
図１３を用いて、異なるテストチャートをテスト印刷した場合に各調整項目におけるテスト印刷結果が変わるか否かを示すリストである。
【０１５７】
調整項目リスト１１０１は、用紙の種類毎に各調整項目においてテストチャートによってテスト印刷結果が変わるか否かを示したものである。調整項目リスト１１０１には、調整項目リスト１１０１、調整項目名の列１１０２、テスト印刷結果の差異の有無を示す列１１０３が配されている。
【０１５８】
調整項目を調整した後は、調整項目ごとにテスト印刷を行う。このとき、テストチャートとして、内蔵テストチャートを使用してテスト印刷を行ってもよい。また、ユーザが指定した画像データを使用してもよく、その場合には、実際に印刷したいデータを使用して各調整項目の調整を行うことが可能である。
【０１５９】
各調整項目のうち、例えば画像位置調整の項目を調整することで、用紙に画像データを印刷する際に、用紙に対する画像の位置を調整することが可能である。
【０１６０】
例えば画像位置調整項目の場合は、ユーザ指定テストチャートを印刷した場合と、内蔵テストチャートを印刷した場合で調整結果が異なる。これは、各々のテストチャートの画像の位置が異なるからである。つまり、内蔵テストチャートを用いてテスト印刷し、実際の印刷物を印刷した場合には、ユーザが求める印刷物と異なる結果物となる恐れがある。一方、ユーザ指定テストチャートとして、実際の印刷物に用いる画像データを用いることで、実際の印刷物を印刷した場合において画像位置調整の設定の効果を確認することができる。図１３では、このような効果を確認することができる調整項目を○とする。
【０１６１】
一方カール補正量に関しては、搬送経路の違いによる用紙の温度特性や水分特性の違いによって用紙のカール量が変わるため、印刷する画像の種類による違いがない。つまり、ユーザ指定テストチャートを用いた場合と、内蔵テストチャートを用いた場合とで、調整結果は同じようになる。
【０１６２】
そのため、このような調整機能では、調整項目の設定による効果を確認する際に、内蔵テストチャートを用いたときと、ユーザ指定テストチャートを用いたときと同じになるため×とする。
【０１６３】
本実施例では、内蔵テストチャート、ユーザ指定テストチャートのどちらを使用しても同じ調整効果を見ることができる調整機能においては、調整項目リスト１１０１を作成しなくてもよい。
【０１６４】
なお、本実施例において例として用いた光沢性／黒品位の調整項目については、テストチャートによってテスト印刷結果が変わるものとし、○をつけている。
【０１６５】
図１４を用いて、印刷制御装置１０２のテスト印刷のフローチャートについて説明する。本実施例のフローチャートに係る印刷制御装置１０２のプログラムは、図３の記憶装置３０９に格納されており、ＲＡＭ３０２に読み出され、ＣＰＵ３０１によって実行される。本実施例においては、光沢性／黒品位の調整を例に説明するが、その他の調整パラメータにおける処理でも同様である。また、本実施例においては、図４の用紙収納デッキ１のボタンが押下された場合について説明するが、その他の用紙収納部のボタンが押下された場合も同様である。
【０１６６】
ステップＳ１００１において、ユーザは、図４（ａ）の用紙収納デッキ１の用紙収納部ボタン４０６を押す。これにより、図９に示した用紙収納デッキ１の用紙設定画面が表示される。なお、ここでは、用紙収納デッキ１は、普通紙１と名付けられた用紙が設定されており、この用紙に関する調整操作を行う例を示す。
【０１６７】
ステップＳ１００２において、ユーザはステップＳ１００１で選択した用紙収納デッキ１に設定されている用紙の調整項目のうち、光沢性／黒品位の調整項目ボタン７２６を押す。光沢性／黒品位の調整ボタンを押すと、ＣＰＵ３０１は、図１０の光沢性／黒品位の調整画面８０１を表示し、ステップＳ１００３に遷移する。
【０１６８】
ステップＳ１００３において、ＣＰＵ３０１は、図１３に示した調整項目リスト１１０１を用いて、ユーザ指定テストチャートと内蔵テストチャートとでテスト印刷結果に差が生じる調整項目か否かを判定する。ステップＳ１００３において、ＣＰＵ３０１は、ユーザ指定テストチャートと内蔵テストチャートとでテスト印刷結果に差が生じる調整項目であると判定するとステップＳ１００４に遷移する。
【０１６９】
ステップＳ１００４において、ＣＰＵ３０１は、内蔵テストページとユーザ指定テストチャートを選択可能に表示する。このときのテスト情報の設定画面の一例を図１５に示す。
【０１７０】
図１５の調整画面１８０１は、調整画面１８０１は、図１０で説明した光沢性／黒品位の調整画面８０１と同じ画面である。調整画面１８０１は、リストボックス１８０２に内蔵テストチャートとユーザ指定テストチャートが選択可能に表示されている状態を示す。具体的にはリストボックス１８０２の三角ボタンを選択すると、その時点でテストチャートとして使用可能な内蔵テストチャートと、ユーザ指定テストチャートが表示される。なお、ユーザ指定テストチャートの登録がされていない場合は、内蔵テストチャートだけが表示される。
【０１７１】
そして、リストボックス１８０２に表示されたテストチャートの中からユーザは所定のテストチャートを選択する。選択を終えると、ステップＳ１００６に遷移する。
【０１７２】
一方、ステップＳ１００３において、ＣＰＵ３０１が、ユーザ指定テストチャートと内蔵テストチャートとでテスト印刷結果に差が生じる調整項目ではないと判定すると、ステップＳ１００５に遷移する。ステップＳ１００５において、ＣＰＵ３０１は、図１５のリストボックス１８０２に、内蔵テストチャートのみを選択可能に表示する。そして、ユーザが所定のテストチャートを選択すると、ステップＳ１００６に遷移する。
【０１７３】
ステップＳ１００６において、ＣＰＵ３０１は、ステップＳ１００４およびステップＳ１００５で選択されたテストチャートが、過去の設定を保存したテストチャートか否かを図１１のテストチャートリストを用いて判定する。
【０１７４】
ステップＳ１００６において、選択されたテストチャートが、テスト情報（情報）として過去の調整値の設定を保存したテストチャートである場合には、ステップＳ１００７に遷移する。テスト情報として過去の調整値を保存したテストチャートとは、例えば過去に所望の印刷物を印刷した際のテスト情報（情報）が保存された、図１１に示すテストチャートである。
【０１７５】
ステップＳ１００７において、ＣＰＵ３０１は、保存されたテスト情報から過去の調整値の設定を図１１のテストチャートリストから読み出す。そして、ＣＰＵ３０１は読み出した設定を調整項目の設定とする。具体的には図１０のテキストボックス８０２および８０３に読み出した調整値をセットする。
【０１７６】
なお、読み出した設定を適用する際に、ＣＰＵ３０１は読み出した設定を使用するか否かをユーザに確認する画面を表示してもよい。そして、ユーザが、読み出した設定を使用することを選択した場合にのみ、読み出した設定を適用してもよい。ステップＳ１００７を終えると、ステップＳ１００８に遷移する。
【０１７７】
一方、ステップＳ１００６において、ＣＰＵ３０１は、選択されたテストチャートが、テスト情報として過去の調整値を保存していないテストチャートであると判定すると、ステップＳ１０１０に遷移する。テスト情報として過去の調整値を保存していないテストチャートとは、例えば、新規登録したユーザ指定テストチャートや、テスト情報を保存していなかった場合の内蔵テストチャートなどである。
【０１７８】
ステップＳ１０１０において、ＣＰＵ３０１は、図９の表示領域７０３に示した印刷装置１０３が保持している普通紙１の光沢性／黒品位の用紙情報から調整項目の設定を読み出す。ＣＰＵ３０１は、読み出した調整項目の設定を図１３のテキストボックス８０２および８０３にセットする。ステップＳ１０１０を終えると、ＣＰＵ３０１は、ステップＳ１００８に遷移する。
【０１７９】
ステップＳ１００８において、ユーザは必要に応じて設定を変更する。設定を変更する場合には、ユーザはテキストボックス８０２および８０３に設定した調整値の変更を行う。
【０１８０】
具体的には、ステップＳ１００７において過去の設定を読み出し、テキストボックス８０２および８０３に読み出した調整値を基に設定の変更を行う。これにより、例えば別の機会に、同じ用紙に対して、同じテストチャートと調整項目の同じ設定を読み出して、調整項目の設定を途中から行いたい場合に、最初から設定を行う場合よりも設定を簡略化することが可能となる。
【０１８１】
なおステップＳ１００８における、設定の変更は必ずしも行う必要はない。ステップＳ１００７において過去の設定を読み出した調整値を用いて印刷を行う場合である。これは、例えば一度印刷を行った際の設定を用いて再印刷する際などである。ステップＳ１００８を終えると、ＣＰＵ３０１は、ステップＳ１００９に遷移する。
【０１８２】
ステップＳ１００９において、ユーザが図１０のテストプリントボタン８１０を押すと、ステップＳ１０１１に遷移する。または、ユーザが図１０のＯＫボタン８０８を押すとステップＳ１０１６に遷移し、ユーザがキャンセルボタン８０９を押すとステップＳ１０１５に遷移する。
【０１８３】
ステップＳ１０１１において、ＣＰＵ３０１は、図１３の調整画面１８０１で入力された光沢性／黒品位の調整値の設定を、印刷装置１０３に送信する。そして、ＣＰＵ３０１は、ステップＳ１０１１からステップＳ１０１２に遷移する。
【０１８４】
ステップＳ１０１２において、ＣＰＵ３０１は、テスト印刷の対象となるテストチャートがユーザ指定テストチャートであると判断すると、ステップＳ１０１３に遷移する。
【０１８５】
ステップＳ１０１３において、ＣＰＵ３０１は、ユーザ指定テストチャートを、ＬＰＲプロトコル等を使用して印刷装置１０３に送信する。さらにＣＰＵ３０１は、印刷装置１０３にユーザ指定テストチャートの印刷の指示を送信する。そして、ＣＰＵ３０１は、ステップＳ１０１３からステップｓ１０１９に遷移する。
【０１８６】
一方、ステップＳ１０１２において、ＣＰＵ３０１は、テスト印刷の対象となるテストチャートが内蔵テストチャートである場合に、ステップＳ１０１４に遷移する。
【０１８７】
ステップＳ１０１４において、ＣＰＵ３０１は、内蔵テストチャートを印刷する際に、内蔵テストチャートの番号の指定、および、内蔵テストチャートの印刷指示を出す。
これにより、印刷装置１０３は、ステップＳ１０１１で受信した光沢性／黒品位の設定に基づいて内蔵テストチャートの印刷を行う。ステップＳ１０１４を終えると、ＣＰＵ３０１は、ステップＳ１０１９に遷移する。
【０１８８】
そして、ステップＳ１０１９において、ＣＰＵ３０１は、図１１のテストチャートリストにテスト印刷に用いたテスト情報（用紙、テストチャート、設定項目の設定）をＲＡＭに保存する。ステップＳ１０１９が終了するとＣＰＵ３０１は、テスト印刷の処理フローを終了する。
【０１８９】
次にステップＳ１００９において、ユーザがキャンセルボタン８０９を押した場合について説明する。ステップＳ１００９において、キャンセルボタン８０９が押されたら、ステップＳ１０１５に遷移する。ステップＳ１０１５において、ＣＰＵ３０１は、変更前の設定に戻し、光沢性／黒品位の調整画面を終了する。ステップＳ１０１５において、ＣＰＵ３０１は、テスト印刷がキャンセルされるとテスト印刷の処理フローを終了する。
【０１９０】
次にステップＳ１００６において、図１０のＯＫボタン８０８が押された場合にはステップＳ１０１６に遷移する。
【０１９１】
ステップ１０１６において、ＣＰＵ３０１は、光沢性／黒品位の調整画面に表示されているテキストボックス８０２、８０３に入力されている調整値の設定を、印刷装置１０３に送信する。そして、印刷装置１０３は受信した設定を普通紙１の光沢性／黒品位の設定として用紙情報を用紙リストに保存する。ＣＰＵ３０１は、ステップＳ１０１６からステップＳ１０１７に遷移する。
【０１９２】
ステップＳ１０１７において、ＣＰＵ３０１は、ユーザが指定したテストチャートのパスと設定値を用紙名に関連付けて、テストチャートリスト１７０１に保存する。ステップＳ１０１７を終えると、ＣＰＵ３０１は、テスト印刷の処理フローを終了する。
【０１９３】
なお、Ｓ１０１７において、ＣＰＵ３０１は、図１１に示す光沢性／黒品位のテストチャートに保存を行う際に、同じ用紙名、ファイルのものがなければ新規追加する。同じ用紙名、ファイル名のものがあれば、新規の調整値で上書きしてもよいし、別途残してもよい。
【０１９４】
また、テストチャートリストに登録済みのテストチャート及びその情報を削除するユーザインタフェースを設けて、テストチャートリストから不要なものを削除してもよい。さらに、実施に印刷を行わなかった場合には、設定値を空白にして光沢性／黒品位のテストチャートリストに保存してもよい。この場合、次のテスト印刷のステップＳ１００６において、ユーザが、設定値が空白のテストチャートを選ぶと、新規入力のテストファイル扱いとなる。
【０１９５】
本実施例によれば、テスト情報を記憶した後、別の機会に、同じテスト情報を用いて印刷を行う場合、または、同じテスト情報を読み出して、調整項目の設定を途中から行いたい場合に、調整項目の調整を行う手間を減らすことが可能となる。
【０１９６】
（実施例２）
図１６〜図１８を用いて本実施例の印刷制御装置を説明する。図１〜１５と同様の機能を有する部分には同様の符号を付し、詳細な説明を省略する。
【０１９７】
図１６を用いて、テスト情報の調整画面について説明する。図１６は、テスト情報の調整画面の一例である。図１６は、調整項目の調整状態を示すテキストボックスと、調整項目においてテストチャートの選択を受け付けるコンポボックスと、テストプリントボタンを一つの画面１５０１に複数表示する点で図９と異なる。
【０１９８】
次に図１７を用いて、図１６のテスト印刷の調整画面の表示フローチャートを説明する。
【０１９９】
図４（ａ）にて、ユーザが調整タブ４０４を押すと、ステップＳ１４００に遷移する。ステップＳ１４００において、ＣＰＵ３０１は、つく数の調整項目を含む調整設定一覧画面を表示し、ステップＳ１４０１に遷移する。
【０２００】
ステップＳ１４０１において、ユーザが調整設定一覧画面に表示された調整項目を一つ選択し、ステップＳ１４０２に遷移する。
【０２０１】
ステップＳ１４０２において、ＣＰＵ３０１のステップＳ１４０１で選択した調整項目に対して、テストプリントボタンを配する必要の有無を判断する。必要ないと判断した場合は、ステップＳ１４０３に遷移する。
【０２０２】
ここでは必要ない場合の一例として、中とじ装置が故障していたり、中とじする消耗品がなくなっていたりした場合に。中とじに、テストプリントを実施することができない構成を示している。そのため、中とじ位置変更、中とじ折り位置の調整ができなくなっている。なお、テストプリントボタンが必要ない場合に、調整値のボタンを非表示としてもよい。さらには、テストプリントボタンが表示されない理由を、画面１５０１のどこかに表示してもよい。
【０２０３】
ステップＳ１４０３において、ＣＰＵ３０１はテストプリントボタンを配する必要のない調整項目の、調整ボタンを画面１５０１に配置する。これは、例えば中とじ折り位置の調整の調整ボタン１５０２である。なお、ステップ１４０３はなくてもよい。
【０２０４】
ステップＳ１４０４において、ＣＰＵ３０１は、配置した調整ボタンに調整値がある場合に現在の設定を表示し、調整値がない場合に空欄とする。
【０２０５】
ステップＳ１４０２において、ＣＰＵ３０１は、ステップＳ１４０１で選択した調整項目に対して、テストプリントボタンを配する必要がある調整項目と判断した場合にステップＳ１４０５に遷移する。
【０２０６】
ステップＳ１４０５にて、ＣＰＵ３０１は、該当の調整項目に対応したテストプリントボタンおよび調整ボタンを表示する。これは例えば、調整ボタン１５０３，１５０４，１５０５、テストプリントボタン１５１１，１５１２，１５１３，１５１４，１５１５である。ステップＳ１４０５を終えると、ＣＰＵ３０１は、ステップＳ１４０６に遷移する。
【０２０７】
ステップＳ１４０７、ステップＳ１４０８、ステップＳ１４０９は、図１４のステップＳ１００３、ステップＳ１００４、ステップＳ１００５と同様である。
【０２０８】
ステップＳ１４０４、ステップＳ１４０８およびステップＳ１４０９を終えると、ＣＰＵ３０１は、テスト印刷の調整画面の表示フローチャートを終了し、図１６で示した用紙情報の調整画面が表示される。
【０２０９】
次に図１６を用いて、テスト印刷方法について説明する。まずは、ユーザが過去の設定に基づく印刷を行う場合について説明する。
【０２１０】
図１６において、ユーザはコンポボックスを選択し、所定のテストチャートを入力する。ここでは例として、ユーザが光沢性／黒品位のコンポボックス１５１０を押し、テストチャートとして「Ｃ：￥ａｂｃ￥ｕｓｅｒ＿ｔｅｓｔｃｈａｒｔ１．ｐｄｆ」を選択したものとする。なお、ユーザ指定テストチャートがすでに登録済みである場合を示したが、ユーザは新しく追加してもよい。
【０２１１】
次にユーザは、テストプリントボタン１５１５を押す。これにより、ＣＰＵ３０１は、印刷装置１０３から図１８に示す用紙リストを取得し、表示する。図１８の画面１６０１は用紙リスト画面のトップ画面である。
【０２１２】
表１６０２は用紙リストを表示しており、列に用紙の属性情報が設定され、行に用紙が設定される。表示されている用紙の属性情報以外を表示したい場合は、スライダーバー１６０３を操作することで表示可能となる。表１６０２は、スライダーバー１６０４を操作することで表示可能になる。そしてここでは、ユーザが、反転領域１６０５で示される普通紙１を選択し、ＯＫボタンを押したこととする。
【０２１３】
これにより、印刷制御装置１０２は、図１１に示したテストチャートリスト１７０１より、用紙名「普通紙１」、ファイル名「Ｃ：￥ａｂｃ￥ｕｓｅｒ＿ｔｅｓｔｃｈａｒｔ１．ｐｄｆ」に該当するリストの調整項目の設定を読み出す。
【０２１４】
そして、ＣＰＵ３０１は、テスト印刷を行う前に読み出した調整項目の設定を変更するか否かについてユーザに確認を行い、ユーザが変更しないことを選んだ場合にはそのままテスト印刷を行う。一方、ユーザが、調整項目の設定を変更することを選んだ場合には、図１５を開き、調整項目の設定を変更する。そして、ＣＰＵ３０１は、変更された設定に基づいて、テスト印刷を行う。さらに、テストチャートリスト１７０１の該当リストの調整項目に変更された設定を記憶する。
【０２１５】
本実施例によっても、テスト情報を記憶した後、別の機会に、同じテスト情報を用いて印刷を行う場合、または、同じテスト情報を読み出して、調整項目の設定を途中から行いたい場合に、調整項目の調整を行う手間を減らすことが可能となる。
【０２１６】
（その他の実施例）
以上、本発明の様々な例と実施例を示して説明したが、本発明の趣旨と範囲は、本明細書内の特定の説明に限定されるものではない。
【０２１７】
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０２１８】
１０２  印刷制御装置
１０３  印刷装置
４０６  用紙収納部
４０７  用紙収納部
４０８  用紙収納部
４０９  用紙収納部
４１０  用紙収納部
４１１  用紙収納部
【図１】
2018187872.tif 000003
【図２】
2018187872.tif 000004
【図３】
2018187872.tif 000005
【図４】
2018187872.tif 000006
【図５】
2018187872.tif 000007
【図６】
2018187872.tif 000008
【図７】
2018187872.tif 000009
【図８】
2018187872.tif 000010
【図９】
2018187872.tif 000011
【図１０】
2018187872.tif 000012
【図１１】
2018187872.tif 000013
【図１２】
2018187872.tif 000014
【図１３】
2018187872.tif 000015
【図１４】
2018187872.tif 000016
【図１５】
2018187872.tif 000017
【図１６】
2018187872.tif 000018
【図１７】
2018187872.tif 000019
【図１８】
2018187872.tif 000020